(57)【要約】  【課題】  小型化を図ることができるとともに受信帯域が広いアンテナを提供する。  【解決手段】  第１放射エレメント２ａと、第２放射エレメント２ｂと、第３放射エレメント２ｃと、第１放射エレメント２ａと第２放射エレメント２ｂの電気的接続の有無を切り替える第１スイッチ素子７−１と、第２放射エレメント２ｂと第３放射エレメント２ｃの電気的接続の有無を切り替える第２スイッチ素子７−２とを備え、第１放射エレメント２ａ、第２放射エレメント２ｂ、及び第３放射エレメント２ｃが、プリント基板４と別体でありプリント基板４より誘電率が大きい誘電体部材１に形成される導体パターンであることを特徴とするアンテナ。【選択図】      図２
2006319437.tif 000002
【特許請求の範囲】
【請求項１】
少なくとも二つの放射エレメントと、前記放射エレメント間の電気的接続の有無を切り替える少なくとも一つのスイッチ素子とを備え、
前記放射エレメントの少なくとも一つは、プリント基板と別体であり前記プリント基板より誘電率が大きい誘電体部材に形成される導体パターンであることを特徴とするアンテナ。
【請求項２】
前記誘電体部材が直方体形状である請求項１に記載のアンテナ。
【請求項３】
前記放射エレメントの少なくとも一つがミアンダ形状である請求項１又は請求項２に記載のアンテナ。
【請求項４】
前記誘電体部材が多面体形状であり、
前記導体パターンの少なくとも一つが、ミアンダ形状であり前記誘電体部材の複数の面にわたって形成される請求項３に記載のアンテナ。
【請求項５】
前記導体パターンのミアンダ折返し点が、前記誘電体部材の複数の面のうちグランドパターンからの距離が他の面より遠い二つの面に形成されている請求項４に記載のアンテナ。
【請求項６】
前記放射エレメントの少なくとも二つが、互いにミアンダピッチが異なるミアンダ形状である請求項３〜５のいずれかに記載のアンテナ。
【請求項７】
前記放射エレメントの少なくとも一つが、ミアンダピッチが一律でないミアンダ形状である請求項３〜６のいずれかに記載のアンテナ。
【請求項８】
給電点から離れるに従って前記ミアンダピッチが粗くなる請求項６又は請求項７に記載のアンテナ。
【請求項９】
前記放射エレメントの少なくとも一つがヘリカル形状である請求項１〜８のいずれかに記載のアンテナ。
【請求項１０】
前記放射エレメントの少なくとも二つが、互いに巻きピッチが異なるヘリカル形状である請求項９に記載のアンテナ。
【請求項１１】
前記放射エレメントの少なくとも一つが、巻きピッチが一律でないヘリカル形状である請求項９又は請求項１０に記載のアンテナ。
【請求項１２】
給電点から離れるに従って前記巻きピッチが粗くなる請求項１０又は請求項１１に記載のアンテナ。
【請求項１３】
前記誘電体部材に形成される実装用ランドを備える請求項１〜１２のいずれかに記載のアンテナ。
【請求項１４】
前記導体パターンの少なくとも一つについて、前記導体パターンの一部が実装用ランドを兼ねる請求項１３に記載のアンテナ。
【請求項１５】
前記放射エレメントの少なくとも二つが、プリント基板と別体であり前記プリント基板より誘電率が大きい誘電体部材に形成される導体パターンであり、尚かつ同一の誘電体部材に形成される導体パターンである請求項１〜１４のいずれかに記載のアンテナ。
【請求項１６】
前記放射エレメントの少なくとも二つが、プリント基板と別体であり前記プリント基板より誘電率が大きい誘電体部材に形成される導体パターンであり、尚かつ互いに異なる誘電体部材に形成される導体パターンである請求項１〜１５のいずれかに記載のアンテナ。
【請求項１７】
前記誘電体部材の少なくとも二つが、互いに形状が異なる誘電体部材である請求項１６に記載のアンテナ。
【請求項１８】
前記誘電体部材の少なくとも二つが、互いに誘電率が異なる誘電体部材である請求項１６又は請求項１７に記載のアンテナ。
【請求項１９】
前記誘電体部材の少なくとも二つが、互いに長手方向の向きが異なるように設置される請求項１６〜１８のいずれかに記載のアンテナ。
【請求項２０】
前記誘電体部材の少なくとも一つについて、前記誘電体部材の最も長い辺がグランドパターンの外周を構成する辺の少なくとも一つと略平行になるように設置される請求項１〜１９のいずれかに記載のアンテナ。
【請求項２１】
前記放射エレメントの少なくとも一つが導体線又は導体板である請求項１〜２０のいずれかに記載のアンテナ。
【請求項２２】
前記放射エレメントの一つが、導体線又は導体板であり尚かつ給電点に接続されない側のアンテナ端部を構成する放射エレメントである請求項２１に記載のアンテナ。
【請求項２３】
筐体内に格納されるアンテナであって、
前記放射エレメントの少なくとも一つが、導体線又は導体板であり尚かつ前記筐体に沿った形状である請求項２１又は請求項２２に記載のアンテナ。
【請求項２４】
前記放射エレメントの少なくとも一つがスタブ部を有する請求項１〜２３のいずれかに記載のアンテナ。
【請求項２５】
前記放射エレメントの少なくとも一つが、テーパー部、パッチ部、及びループ部の少なくとも一つを有する請求項１〜２４のいずれかに記載のアンテナ。
【請求項２６】
前記導体パターンが、他の導体パターン幅と幅が異なる部位を有する請求項１〜２５に記載のアンテナ。
【請求項２７】
前記放射エレメント内に設けられる又は前記放射エレメントに電気的に接続される少なくとも一つのコイルを備える請求項１〜２６のいずれかに記載のアンテナ。
【請求項２８】
前記スイッチ素子がＰＩＮダイオードであり、前記ＰＩＮダイオードのオン／オフにより前記放射エレメント間の電気的接続の有無を切り替える請求項１〜２７のいずれかに記載のアンテナ。
【請求項２９】
前記スイッチ素子が電界効果トランジスタであり、前記電界効果トランジスタのオン／オフにより前記放射エレメント間の電気的接続の有無を切り替える請求項１〜２７のいずれかに記載のアンテナ。
【請求項３０】
アンテナが受信する信号を処理する回路が搭載されていないプリント基板に前記誘電体部材が搭載され、
前記誘電体部材が搭載されているプリント基板が外部との入出力端子を備える請求項１〜２９のいずれかに記載のアンテナ。
【請求項３１】
前記放射エレメントの少なくとも一つについて、そのエレメント全体又は一部が、前記誘電体部材が搭載されているプリント基板に形成されている請求項３０に記載のアンテナ。
【請求項３２】
前記誘電体部材が搭載されているプリント基板がフレキシブル基板である請求項３０又は請求項３１に記載のアンテナ。
【請求項３３】
前記スイッチ素子の少なくとも一つが前記誘電体部材に搭載されている請求項１〜３２のいずれかに記載のアンテナ。
【発明の詳細な説明】
【技術分野】
【０００１】
本発明は、無線通信機器等に使用されるアンテナに関する。
【背景技術】
【０００２】
近年、携帯電話装置などの小型無線通信機器へ種々の機能が次々と追加され、それに従い受信が必要な周波数帯も増えている。最近ではＴＶ放送の受信機能を有する小型無線通信機器が実用化されており、かかる小型無線通信機器ではＴＶ放送の周波数帯の受信が必要となっている。
【０００３】
一般にアンテナの長さは受信信号の波長に対応しており、受信信号の波長が長い即ち受信信号の周波数が低いと、アンテナ長は長くなる。ＴＶ放送のＵＨＦチャンネルでは４７０ＭＨｚ〜７７０ＭＨｚの周波数帯が、ＴＶ放送のＶＨＦチャンネルでは９０ＭＨｚ〜２２２ＭＨｚの周波数帯が使われている。屋根の上に設置される家庭用ＴＶアンテナは、ＴＶ放送信号の半波長（λ／２）に準じた長さの放射エレメントを持つ。例えば、５００ＭＨｚのＴＶ放送信号では、半波長（λ／２）が３００ｍｍとなる。
【０００４】
一方、携帯電話装置などの小型無線通信機器においては小型化が進んでおり、小型無線通信機器の寸法がＴＶ放送信号の半波長よりずっと小さいため、ＴＶ放送信号の半波長（λ／２）に準じた長さの放射エレメントを持つアンテナを小型無線通信機器に設けることは困難である。さらに、小型無線通信機器の外観美及び携帯性を向上させるために内蔵アンテナを採用することが望ましいが、内蔵アンテナを採用した場合アンテナに許される空間はますます小さくなる。
【０００５】
従来より携帯型テレビ受信機ではロッドアンテナが使われてきたが、ロッドアンテナはアンテナ長が長いため、小型無線通信機器には適さない。
【０００６】
このような問題を解決することができるアンテナとして、プリント基板上にミアンダ形状の導体パターンを形成し、前記導体パターンを断続するスイッチを設け、前記スイッチにより前記導体パターンを断続することでアンテナ長を変えてＶＨＦ帯とＵＶＦ帯のテレビジョン放送波を受信できるような受信帯域の広いアンテナが特許文献１で提案されている。
【特許文献１】特開２００５−４５５９９号公報
【発明の開示】
【発明が解決しようとする課題】
【０００７】
しかしながら、プリント基板の比誘電率は一般的に４．５程度であり、プリント基板上に形成した前記導体パターンでは、ＴＶ放送信号の周波数を考慮すると、プリント基板の比誘電率によるＴＶ放送信号波長の短縮量が不足するので、特許文献１で提案されているアンテナでは十分な小型化を図ることができない。また、特許文献１で提案されているアンテナは、前記導体パターンにより形成されている給電導体の片側または両側に無給電素子を配置することで共振周波数を低周波側にシフトさせているが、このように無給電素子を配置することで受信帯域は狭くなる。このため、特許文献１で提案されているアンテナは、前記導体パターンを断続するスイッチを設けて前記スイッチにより前記導体パターンを断続してアンテナ長を変えることで受信周波数を変えることができるようにしているが、スイッチの数が少ない場合（例えば特許文献１の第１０図のようにスイッチの数が１個の場合）は受信帯域の狭さをカバーしきれないという問題があり、また、多くのスイッチを設けることはコスト面等から実用的でない。
【０００８】
本発明は、上記の問題点に鑑み、小型化を図ることができるとともに受信帯域が広いアンテナを提供することを目的とする。
【課題を解決するための手段】
【０００９】
上記目的を達成するために本発明に係るアンテナは、少なくとも二つの放射エレメントと、前記放射エレメント間の電気的接続の有無を切り替える少なくとも一つのスイッチ素子とを備え、前記放射エレメントの少なくとも一つは、プリント基板と別体であり前記プリント基板より誘電率が大きい誘電体部材に形成される導体パターンであるようにしている。
【００１０】
このような構成によると、前記誘電体部材の比誘電率による受信信号波長の短縮量が多くなるので、アンテナの小型化を図ることができる。また、前記スイッチ素子のオン／オフ切り替えによってアンテナ長を変えることで、共振周波数を変化させることができるので、受信帯域を広くすることができる。
【００１１】
また、前記誘電体部材を直方体形状にしてもよい。これにより、アンテナを立体的に構成することができるので、アンテナを狭い空間に収めるために有効である。
【００１２】
また、前記放射エレメントの少なくとも一つをミアンダ形状にしてもよい。これにより、より一層の小型化を図ることができる。
【００１３】
また、前記誘電体部材が多面体形状であり、前記導体パターンの少なくとも一つが、ミアンダ形状であり前記誘電体部材の複数の面にわたって形成されるようにしてもよい。これにより、より一層の小型化を図ることができる。
【００１４】
また、前記導体パターンのミアンダ折返し点を、前記誘電体部材の複数の面のうちグランドパターンからの距離が他の面より遠い二つの面に形成するようにしてもよい。これにより、前記導体パターンを前記グランドパターンから離すことができる。
【００１５】
また、前記放射エレメントの少なくとも二つを、互いにミアンダピッチが異なるミアンダ形状にしてもよい。これにより、アンテナのインピーダンスの調整幅を広げることができる。
【００１６】
また、放射エレメントの少なくとも一つを、ミアンダピッチが一律でないミアンダ形状にしてもよい。これにより、アンテナのインピーダンスの調整幅を広げることができる。
【００１７】
また、給電点から離れるに従って前記ミアンダピッチを粗くしてもよい。これにより、各受信周波数帯に適したミアンダパターンを構成することができる。
【００１８】
また、前記放射エレメントの少なくとも一つをヘリカル形状にしてもよい。これにより、より一層の小型化を図ることができる。ミアンダ形状では所望の小型サイズにならない場合、ヘリカル形状が有効である。
【００１９】
また、前記放射エレメントの少なくとも二つを、互いに巻きピッチが異なるヘリカル形状にしてもよい。これにより、アンテナのインピーダンスの調整幅を広げることができる。
【００２０】
また、前記放射エレメントの少なくとも一つを、巻きピッチが一律でないヘリカル形状にしてもよい。これにより、アンテナのインピーダンスの調整幅を広げることができる。
【００２１】
また、給電点から離れるに従って前記巻きピッチを粗くしてもよい。これにより、各受信周波数帯に適したヘリカルパターンを構成することができる。
【００２２】
また、前記誘電体部材に形成される実装用ランドを備えるようにしてもよい。これにより、前記誘電体部材のプリント基板への実装が容易になる。
【００２３】
また、前記導体パターンの少なくとも一つについて、前記導体パターンの一部が実装用ランドを兼ねるようにしてもよい。これにより、前記誘電体部材の表面積の有効活用を図ることができる。
【００２４】
また、前記放射エレメントの少なくとも二つを、プリント基板と別体であり前記プリント基板より誘電率が大きい誘電体部材に形成される導体パターンであり、尚かつ同一の誘電体部材に形成される導体パターンにしてもよい。これにより、より一層の小型化を図ることができるとともに、部品点数を抑えることができるので低コスト化を図ることができる。
【００２５】
また、前記放射エレメントの少なくとも二つを、プリント基板と別体であり前記プリント基板より誘電率が大きい誘電体部材に形成される導体パターンであり、尚かつ互いに異なる誘電体部材に形成される導体パターンにしてもよい。これにより、狭い空間を効率よく利用できる形状にアンテナ形状を合わせ込むことができる。ここで、前記誘電体部材の少なくとも二つを、互いに形状が異なる誘電体部材にしてもよく、互いに誘電率が異なる誘電体部材にしてもよく、互いに長手方向の向きが異なるように設置されるようにしてもよい。
【００２６】
また、前記誘電体部材の少なくとも一つについて、前記誘電体部材の最も長い辺がグランドパターンの外周を構成する辺の少なくとも一つと略平行になるように設置されるようにしてもよい。このような構成は、アンテナを狭い空間に収めるために有効である。
【００２７】
また、前記放射エレメントの少なくとも一つを導体線又は導体板にしてもよい。これにより、前記誘電体部材の小型化を図ることができるとともに、アンテナ形状の自由度が増す。そして、前記放射エレメントの一つを、導体線又は導体板であり尚かつ給電点に接続されない側のアンテナ端部を構成する放射エレメントにすることで、アンテナ形状の自由度がより一層増す。また、アンテナが筐体内に格納される場合、前記放射エレメントの少なくとも一つを、導体線又は導体板であり尚かつ前記筐体に沿った形状にすることで、アンテナ形状を前記筐体に収めやすい形状にすることができる。
【００２８】
また、前記放射エレメントの少なくとも一つがスタブ部を有するようにしてもよい。これにより、アンテナのインピーダンスの調整幅が広くなるという効果が得られる。
【００２９】
また、前記放射エレメントの少なくとも一つが、テーパー部、パッチ部、及びループ部の少なくとも一つを有するようにしてもよい。これにより、受信周波数の帯域幅が広くなるという効果が得られる。
【００３０】
また、前記導体パターンが、他の導体パターン幅と幅が異なる部位を有するようにしてもよい。これにより、アンテナのインピーダンスの調整が容易になる。
【００３１】
また、前記放射エレメント内に設けられる又は前記放射エレメントに電気的に接続される少なくとも一つのコイルを備えるようにしてもよい。これにより、アンテナの共振周波数が低周波側へシフトするので、アンテナの小型化をより一層図ることができる。
【００３２】
また、前記スイッチ素子がＰＩＮダイオードであり、前記ＰＩＮダイオードのオン／オフにより前記放射エレメント間の電気的接続の有無を切り替えるようにしてもよく、前記スイッチ素子が電界効果トランジスタであり、前記電界効果トランジスタのオン／オフにより前記放射エレメント間の電気的接続の有無を切り替えるようにしてもよい。これにより、電気信号によってアンテナの共振周波数を制御することができる。
【００３３】
また、アンテナが受信する信号を処理する回路が搭載されていないプリント基板に前記誘電体部材が搭載され、前記誘電体部材が搭載されているプリント基板が外部との入出力端子を備えるようにしてもよい。これにより、アンテナをモジュール化することができるので、アンテナの汎用性が増す。
【００３４】
また、前記放射エレメントの少なくとも一つについて、そのエレメント全体又は一部が、前記誘電体部材が搭載されているプリント基板に形成されているようにしてもよい。これにより、放射エレメントの全体もしくは一部をプリント基板上の導体パターンで形成した部分ではアンテナモジュールの高さがほとんどプリント基板の厚み分だけとなり、アンテナの高さに部分的に制限がある場合に有効である。
【００３５】
また、前記誘電体部材が搭載されているプリント基板をフレキシブル基板にしてもよい。これにより、狭い空間内に収めるために効率の良いアンテナ形状を実現することが容易になる。
【００３６】
また、前記スイッチ素子の少なくとも一つが前記誘電体部材に搭載されているようにしてもよい。これにより、より一層の小型化を図ることができる。
【発明の効果】
【００３７】
本発明によると、小型化を図ることができるとともに受信帯域を広くすることができるアンテナを実現することができる。
【発明を実施するための最良の形態】
【００３８】
本発明の実施形態について図面を参照して以下に説明する。なお、本明細書の中でアンテナがＮ個の放射エレメントを持つ場合、給電点に近い方から第１放射エレメント、第２放射エレメント、…、第Ｎ放射エレメントと呼び、また、スイッチ素子も同様に、給電点に近い方から第１スイッチ素子、第２スイッチ素子、…、第（Ｎ−１）スイッチ素子と呼ぶことにする。
【００３９】
まず、本発明の第１実施形態に係るアンテナについて図１〜図３を参照して説明する。図１は、本発明の第１実施形態に係るアンテナの構成要素である放射エレメントが形成されている誘電体部材の斜視図である。なお、図１では、放射エレメントの形状が分かりやすいように誘電体部材を透かしており、このことは他の図面についても同様である。図２は、本発明の第１実施形態に係るアンテナが搭載されているプリント基板の上面図である。図３は、本発明の第１実施形態に係るアンテナが搭載されているプリント基板のアンテナ搭載部を示す部分斜視図である。
【００４０】
本発明の第１実施形態に係るアンテナは、第１放射エレメント２ａ、第２放射エレメント２ｂ、及び第３放射エレメント２ｃと、第１スイッチ素子７−１及び第２スイッチ素子７−２と、プリント基板４上の導体パターン８及び９−１〜９−５と、実装用ランド３ａ〜３ｆと、半田付け部１０−１〜１０−６とを備えている（図１〜図３を参照）。
【００４１】
直方体形状である誘電体部材１に三つの放射エレメント（第１放射エレメント２ａ、第２放射エレメント２ｂ、及び第３放射エレメント２ｃ）が形成されており、第１放射エレメント２ａ、第２放射エレメント２ｂ、及び第３放射エレメント２ｃはそれぞれ、ミアンダ形状の導体パターンで誘電体部材１の複数の面にわたって形成されている（図１を参照）。また、誘電体部材１の誘電率をプリント基板４の誘電率より大きくしている。例えば、プリント基板４の比誘電率を４．５程度にし誘電体部材１の比誘電率を２０以上にするとよい。このような構成により、誘電体部材１の比誘電率による受信信号波長の短縮量が多くなるので、アンテナの小型化を図ることができる。
【００４２】
ここで、プリント基板４は、本発明の第１実施形態に係るアンテナを備える小型無線通信機器のメイン電子回路を搭載しているプリント基板（メイン基板）であり、第１スイッチ素子７−１、第２スイッチ素子７−２、誘電体部材１等が実装されている。
【００４３】
第１放射エレメント２ａの一部である実装用ランド２ａａはプリント基板４上の導体パターン８によってプリント基板４上の給電点６に電気的に接続され、第１放射エレメント２ａの一部である実装用ランド２ａｂはプリント基板４上の導体パターン９−１によって第１スイッチ素子７−１の一端に電気的に接続される（図１及び図３を参照）。
【００４４】
また、第２放射エレメント２ｂの一部である実装用ランド２ｂａはプリント基板４上の導体パターン９−２によって第１スイッチ素子７−１の他端に電気的に接続され、第２放射エレメント２ｂの一部である実装用ランド２ｂｂはプリント基板４上の導体パターン９−３によって第２スイッチ素子７−２の一端に電気的に接続される（図１及び図３を参照）。
【００４５】
また、第３放射エレメント２ｃの一部である実装用ランド２ｃａはプリント基板４上の導体パターン９−４によって第２スイッチ素子７−２の他端に電気的に接続され、第３放射エレメント２ｃの一部である実装用ランド２ｃｂはプリント基板４上の導体パターン９−５に電気的に接続される（図１及び図３を参照）。
【００４６】
第１スイッチ素子７−１及び第２スイッチ素子７−２は、例えばＰＩＮダイオードやＦＥＴ（電界効果トランジスタ）等で構成することができる。第１スイッチ素子７−１はその周辺に設置されるコンデンサや抵抗（不図示）とともにスイッチ回路を構成し、そのスイッチ回路は第１スイッチ素子７−１のオン／オフを制御する制御信号を入力する。また、第２スイッチ素子７−２はその周辺に設置されるコンデンサや抵抗（不図示）とともにスイッチ回路を構成し、そのスイッチ回路は第２スイッチ素子７−２のオン／オフを制御する制御信号を入力する。なお、スイッチ素子がＦＥＴ（電界効果トランジスタ）であるスイッチ回路は、スイッチ素子がＰＩＮダイオードであるスイッチ回路に比べて消費電力が少ないという長所を有する。
【００４７】
また、三つの放射エレメント（第１放射エレメント２ａ、第２放射エレメント２ｂ、及び第３放射エレメント２ｃ）のミアンダ折返し点は、直方体形状である誘電体部材１の六面のうちグランドパターン５からの距離が他の面より遠い二つの面に形成されている（図３を参照）。放射エレメントがグランドに近いことに起因する利得の低下を防ぐために、アンテナはグランドからできるだけ離して設置することが望ましいが、小型無線通信機器内にアンテナを設置する場合アンテナ設置位置に制約が有りアンテナをグランドパターンの近くに設置せざるを得ないことが多い。このため、三つの放射エレメント（第１放射エレメント２ａ、第２放射エレメント２ｂ、及び第３放射エレメント２ｃ）をグランドパターン５からできるだけ離すことができる上記放射エレメントの配置は有効である。
【００４８】
また、直方体形状である誘電体部材１の最も長い辺がグランドパターン５の外周を構成する辺の少なくとも一つと略平行になるように、誘電体部材１がプリント基板４に実装されている（図２及び図３を参照）。このような誘電体部材の実装配置は、本発明の第１実施形態に係るアンテナを小型無線通信機器内部の狭い空間に収めるために有効である。
【００４９】
本発明の第１実施形態に係るアンテナは、第１放射エレメント２ａと第２放射エレメント２ｂとの接続を第１スイッチ素子７−１で切り替え、第２放射エレメント２ｂと第３放射エレメント２ｃとの接続を第２スイッチ素子７−２で切り替えてアンテナ長を変えることで、共振周波数を変化させることができる。例えば、本発明の第１実施形態に係るアンテナをＴＶ放送のＵＨＦ帯である４７０ＭＨｚ〜７７０ＭＨｚのアンテナとした場合、ＶＳＷＲ特性（電圧定在波比特性）は図１４のようになる。図１４において、Ｃ１は第１スイッチ素子７−１、第２スイッチ素子７−２をともにオンにしたときのＶＳＷＲ特性線を示し、Ｃ２は第１スイッチ素子７−１をオンにし、第２スイッチ素子７−２をオフにしたときのＶＳＷＲ特性線を示し、Ｃ３は第１スイッチ素子７−１、第２スイッチ素子７−２をともにオフにしたときのＶＳＷＲ特性線を示している。一つのＶＳＷＲ特性曲線では４７０ＭＨｚ〜７７０ＭＨｚという広帯域をカバーできないが、第１スイッチ素子７−１及び第２のスイッチ素子７−２のオン／オフ切り替えにてアンテナ長を切り替えてＶＳＷＲ特性曲線をシフトさせることにより、受信帯域が広いアンテナを実現することができる。
【００５０】
次に、本発明の第２実施形態に係るアンテナについて図４を参照して説明する。図４は、本発明の第２実施形態に係るアンテナの構成要素である放射エレメントが形成されている誘電体部材の斜視図である。
【００５１】
本発明の第２実施形態に係るアンテナは、本発明の第１実施形態に係るアンテナで用いていた誘電体部材１を誘電体部材１１に置換したものである。なお、本発明の第１実施形態に係るアンテナと本発明の第２実施形態に係るアンテナとではプリント基板の導体パターンの位置等が若干異なるが、この点に関する詳細な説明は省略する。
【００５２】
直方体形状である誘電体部材１１に三つの放射エレメント（第１放射エレメント１２ａ、第２放射エレメント１２ｂ、及び第３放射エレメント１２ｃ）が形成されており、第１放射エレメント１２ａ、第２放射エレメント１２ｂ、及び第３放射エレメント１２ｃはそれぞれ、ミアンダ形状の導体パターンで誘電体部材１１の複数の面にわたって形成されている。また、第１放射エレメント１２ａ、第２放射エレメント１２ｂ、及び第３放射エレメント１２ｃでミアンダピッチが異なっており、給電点から離れている放射エレメントほどミアンダピッチが粗くなっている。すなわち、第１放射エレメント１２ａのミアンダピッチが最も密であり、第３放射エレメント１２ｃのミアンダピッチが最も粗である。
【００５３】
本発明の第２実施形態に係るアンテナは、第１放射エレメント１２ａと第２放射エレメント１２ｂとの接続を第１スイッチ素子で切り替え、第２放射エレメント１２ｂと第３放射エレメント１２ｃとの接続を第２スイッチ素子で切り替えてアンテナ長を変えることで、共振周波数を変化させ、受信帯域を広くしている。即ち、第１スイッチ素子、第２スイッチ素子の状態により受信信号の周波数が大きく変わる。
【００５４】
受信信号の周波数が高い（波長が短い）場合に合わせて放射エレメントのミアンダピッチを一律に密にすると、第１スイッチ素子、第２スイッチ素子がともにオンである状態即ち低周波数（長い波長）の受信信号に対応した状態において、受信信号の波長にとってミアンダが一つの固まりに見えてしまい、想定した周波数で共振しなくなってしまう。一方、受信信号の周波数が低い（波長が長い）場合に合わせて放射エレメントのミアンダピッチを一律に粗にすると、アンテナのサイズが大きくなってしまう。
【００５５】
そこで、本発明の第２実施形態に係るアンテナでは、給電点から離れている放射エレメントほどミアンダピッチを粗くしている。これにより、受信信号の周波数が低い（波長が長い）場合でもミアンダが一つの固まりに見えてしまうことが無くなるので、第１スイッチ素子、第２スイッチ素子の各状態での対応周波数に適応した小型のアンテナを実現することができる。
【００５６】
また、三つの放射エレメント（第１放射エレメント１２ａ、第２放射エレメント１２ｂ、及び第３放射エレメント１２ｃ）の形状をミアンダ形状からヘリカル形状に変更してもよい。この場合、第１放射エレメント、第２放射エレメント、及び第３放射エレメントを互いに巻きピッチが異なるヘリカル形状の放射エレメントとし、給電点から離れている放射エレメントほど巻きピッチを粗くする。すなわち、第１放射エレメントの巻きピッチを最も密にし、第３放射エレメントの巻きピッチを最も粗にする。これにより、受信信号の周波数が低い（波長が長い）場合でもヘリカルが一つの固まりに見えてしまうことが無くなるので、第１スイッチ素子、第２スイッチ素子の各状態での対応周波数に適応した小型のアンテナを実現することができる。
【００５７】
次に、本発明の第３実施形態に係るアンテナについて図５を参照して説明する。図５は、本発明の第３実施形態に係るアンテナの構成要素である放射エレメントが形成されている誘電体部材の斜視図である。
【００５８】
本発明の第３実施形態に係るアンテナは、本発明の第１実施形態に係るアンテナで用いていた誘電体部材１を誘電体部材１３に置換したものである。なお、本発明の第１実施形態に係るアンテナと本発明の第３実施形態に係るアンテナとではプリント基板の導体パターンの個数・位置、スイッチ素子の個数・位置等が若干異なるが、この点に関する詳細な説明は省略する。
【００５９】
直方体形状である誘電体部材１３に二つの放射エレメント（第１放射エレメント１４ａ及び第２放射エレメント１４ｂ）が形成されており、ヘリカル形状の導体パターンである第１放射エレメント１４ａとミアンダ形状の導体パターンである第２放射エレメント１４ｂとが誘電体部材１３の複数の面にわたって形成されている。
【００６０】
また、第２放射エレメント１４ｂのミアンダピッチは一律でない。放射エレメントのミアンダピッチは給電点から見たアンテナのインピーダンスに影響を与えるので、放射エレメントのミアンダピッチを一律にしないことによってアンテナのインピーダンスの調整幅を広げることになる。
【００６１】
また、本実施形態のように、放射エレメントの少なくとも一つをヘリカル形状にすることにより、より一層の小型化を図ることができる。但し、ヘリカル形状の放射エレメントを用いるとアンテナの受信周波数帯域幅が狭くなるので、小型化と受信周波数の広帯域化についてその時々の条件を考慮してそれぞれのスペックを設定し、それに合うようにミアンダ形状の放射エレメントとヘリカル形状の放射エレメントを使い分けるとよい。図５のように両方の組み合わせで形成することも小型化と受信周波数の広帯域化を両立するうえで有効である。なお、本実施形態ではヘリカル形状である第１放射エレメント１４ａの巻きピッチを一律にしているが、アンテナのインピーダンスの調整幅を広げる観点から巻きピッチが一律でないヘリカル形状の放射エレメントを用いるようにしてもよい。
【００６２】
次に、本発明の第４実施形態に係るアンテナについて図６及び図７を参照して説明する。図６は、本発明の第４実施形態に係るアンテナの構成要素である放射エレメントが形成されている誘電体部材の斜視図である。図７は、本発明の第４実施形態に係るアンテナが搭載されているプリント基板の上面図である。
【００６３】
本発明の第４実施形態に係るアンテナは、本発明の第１実施形態に係るアンテナで用いていた誘電体部材１を誘電体部材１５及び１６に置換したものである。なお、本発明の第１実施形態に係るアンテナと本発明の第４実施形態に係るアンテナとではプリント基板の導体パターンの個数・位置、スイッチ素子の個数・位置等が若干異なるが、この点に関する詳細な説明は省略する。
【００６４】
直方体形状である誘電体部材１５に第１放射エレメント１７ａが形成されており、第１放射エレメント１７ａはミアンダ形状の導体パターンで誘電体部材１５の複数の面にわたって形成されている（図６を参照）。直方体形状である誘電体部材１６に第２放射エレメント１７ｂが形成されており、第２放射エレメント１７ｂはミアンダ形状の導体パターンで誘電体部材１６の複数の面にわたって形成されている（図６を参照）。また、誘電体部材１５と誘電体部材１６とは互いに形状が異なっている（図６を参照）。このような構成により、小型無線通信機器内部の狭い空間を効率良く利用できる形状にアンテナ形状を合わせ込むことができる。
【００６５】
また、誘電体部材１５の誘電率と誘電体部材１６の誘電率を互いに異ならせてもよい。誘電体部材の誘電率を高くすると、受信信号波長の短縮量が多くなりアンテナの小型化を図ることができる反面、アンテナの受信周波数帯域幅が狭くなる。小型化と受信周波数の広帯域化についてその時々の条件を考慮してそれぞれのスペックを設定し、それに合うように誘電体部材１５及び１６の誘電率を設定するとよい。
【００６６】
また、直方体形状である誘電体部材１５の長手方向と直方体形状である誘電体部材１６の長手方向とが異なる向きになるように誘電体部材１５及び１６がプリント基板１８に実装されている（図７を参照）。なお、プリント基板１８には、誘電体部材１５及び１６の実装配置に合った形状のグランドパターン１９が形成されている（図７を参照）。このような誘電体部材の実装配置は、図７のようにプリント基板１８が細長い形状で一つの誘電体部材に放射エレメントを形成するとプリント基板に誘電体部材が収まらなくなる場合に有効である。
【００６７】
次に、本発明の第５実施形態に係るアンテナについて図８を参照して説明する。図８は、本発明の第５実施形態に係るアンテナが搭載されているプリント基板の上面図である。
【００６８】
本発明の第５実施形態に係るアンテナは、第１放射エレメント２１ａ、第２放射エレメント２１ｂ、及び第３放射エレメント２２と、第１スイッチ素子２６−１及び第２スイッチ素子２６−２と、プリント基板２３上の導体パターン２７及び２８−１〜２８−４と、実装用ランド（不図示）と、半田付け部（不図示）とを備えている。
【００６９】
直方体形状である誘電体部材２０に二つの放射エレメント（第１放射エレメント２１ａ及び第２放射エレメント２１ｂ）が形成されており、第１放射エレメント２１ａ及び第２放射エレメント２１ｂはそれぞれ、ミアンダ形状の導体パターンで誘電体部材２０の複数の面にわたって形成されている。また、誘電体部材２０の誘電率をプリント基板２３の誘電率より大きくしている。例えば、プリント基板２３の比誘電率を４．５程度にし誘電体部材２０の比誘電率を２０以上にするとよい。このような構成により、誘電体部材２０の比誘電率による受信信号波長の短縮量が多くなるので、アンテナの小型化を図ることができる。
【００７０】
ここで、プリント基板２３は、本発明の第５実施形態に係るアンテナを備える小型無線通信機器のメイン電子回路を搭載しているプリント基板（メイン基板）であり、第１スイッチ素子２６−１、第２スイッチ素子２６−２、誘電体部材２０等が実装されている。
【００７１】
第１放射エレメント２１ａの一端はプリント基板２３上の導体パターン２７によってプリント基板２３上の給電点に電気的に接続され、第１放射エレメント２１ａの他端はプリント基板２３上の導体パターン２８−１によって第１スイッチ素子２６−１の一端に電気的に接続される。また、第２放射エレメント２１ｂの一端はプリント基板２３上の導体パターン２８−２によって第１スイッチ素子２６−１の他端に電気的に接続され、第２放射エレメント２１ｂの他端はプリント基板２３上の導体パターン２８−３によって第２スイッチ素子２６−２の一端に電気的に接続される。また、第３放射エレメント２２の一端はプリント基板２３上の導体パターン２８−４によって第２スイッチ素子２６−２の他端に電気的に接続される。また、プリント基板２３上にはグランドパターン２４も形成されている。
【００７２】
第３放射エレメント２２は導体板で形成されている。また、第３放射エレメント２２は、給電点に接続されない側のアンテナ端部を構成する放射エレメントである。ちなみに、第１放射エレメント２１ａは、給電点に接続される側のアンテナ端部を構成する放射エレメントである。また、第３放射エレメント２２は、本発明の第５実施形態に係るアンテナを搭載する小型無線通信機器の筐体２５に沿った形状である。このような構成により、誘電体部材２０の小型化を図ることができ、また、第３放射エレメント２２は筐体２５の中で性能が許容できる範囲で自由な形にすることができ、小型無線通信機器の狭い空間の中にアンテナを収めるために有効であるコンパクトな形状を実現できる。もちろん、第１放射エレメントや第２放射エレメントも導体板で形成することができるが、プリント基板と別体でありプリント基板より誘電率が大きい誘電体部材を用いることによる小型化の効果が得られなくなる。本実施形態においては、第１放射エレメント及び第２放射エレメントが開放端を有していないために第１放射エレメント及び第２放射エレメントを誘電体部材に形成される導電パターンとし、第３放射エレメントが開放端（給電点に接続されない側のアンテナ端部）を有しているので第３放射エレメントを導体板とし、性能が許容できる範囲で第３放射エレメントを自由な方向へ自由な形に形成することで、小型で筐体に収めやすいアンテナを実現している。
【００７３】
次に、本発明の第６実施形態に係るアンテナについて図９を参照して説明する。図９は、本発明の第６実施形態に係るアンテナが搭載されているプリント基板の上面図である。
【００７４】
本発明の第６実施形態に係るアンテナは、第１放射エレメント３０ａ、第２放射エレメント３０ｂ、及び第３放射エレメント３１と、第１スイッチ素子３４−１及び第２スイッチ素子３４−２と、プリント基板３２上の導体パターン３５及び３６−１〜３６−４と、実装用ランド（不図示）と、半田付け部（不図示）とを備えている。
【００７５】
直方体形状である誘電体部材２９に二つの放射エレメント（第１放射エレメント３０ａ及び第２放射エレメント３０ｂ）が形成されており、第１放射エレメント３０ａ及び第２放射エレメント３０ｂはそれぞれ、ミアンダ形状の導体パターンで誘電体部材２９の複数の面にわたって形成されている。また、誘電体部材２９の誘電率をプリント基板３２の誘電率より大きくしている。例えば、プリント基板３２の比誘電率を４．５程度にし誘電体部材２９の比誘電率を２０以上にするとよい。このような構成により、誘電体部材２９の比誘電率による受信信号波長の短縮量が多くなるので、アンテナの小型化を図ることができる。
【００７６】
ここで、プリント基板３２は、本発明の第６実施形態に係るアンテナを備える小型無線通信機器のメイン電子回路を搭載しているプリント基板（メイン基板）であり、第１スイッチ素子３４−１、第２スイッチ素子３４−２、誘電体部材２９等が実装されている。
【００７７】
第１放射エレメント３０ａの一端はプリント基板３２上の導体パターン３５によってプリント基板３２上の給電点に電気的に接続され、第１放射エレメント３０ａの他端はプリント基板３２上の導体パターン３６−１によって第１スイッチ素子３４−１の一端に電気的に接続される。また、第２放射エレメント３０ｂの一端はプリント基板３２上の導体パターン３６−２によって第１スイッチ素子３４−１の他端に電気的に接続され、第２放射エレメント３０ｂの他端はプリント基板３２上の導体パターン３６−３によって第２スイッチ素子３４−２の一端に電気的に接続される。また、第３放射エレメント３１の一端はプリント基板３２上の導体パターン３６−４によって第２スイッチ素子３４−２の他端に電気的に接続される。また、プリント基板３２上にはグランドパターン３３も形成されている。
【００７８】
第１放射エレメント３０ａはスタブ部３０ａａを有している。スタブ部３ａａを設けることによりアンテナのインピーダンスの調整幅が広くなるという効果が得られる。
【００７９】
また、第３放射エレメント３１はテーパー部３１ａを有している。テーパー部３１ａを設けることにより受信周波数の帯域幅が広くなるという効果が得られる。
【００８０】
また、第３放射エレメント３１はパッチ部３１ｂを有している。パッチ部３１ｂを設けることにより受信周波数の帯域幅が広くなるという効果が得られる。
【００８１】
次に、本発明の第７実施形態に係るアンテナについて図１０を参照して説明する。図１０は、本発明の第７実施形態に係るアンテナが搭載されているプリント基板の上面図である。
【００８２】
本発明の第７実施形態に係るアンテナは、第１放射エレメント３８ａ、第２放射エレメント３８ｂ、及び第３放射エレメント３９と、第１スイッチ素子４２−１及び第２スイッチ素子４２−２と、プリント基板４０上の導体パターン４３及び４４−１〜４４−５と、コイル４５と、実装用ランド（不図示）と、半田付け部（不図示）とを備えている。
【００８３】
直方体形状である誘電体部材３７に二つの放射エレメント（第１放射エレメント３８ａ及び第２放射エレメント３８ｂ）が形成されており、第１放射エレメント３８ａ及び第２放射エレメント３８ｂはそれぞれ、ミアンダ形状の導体パターンで誘電体部材３７の複数の面にわたって形成されている。また、誘電体部材３７の誘電率をプリント基板４０の誘電率より大きくしている。例えば、プリント基板４０の比誘電率を４．５程度にし誘電体部材３７の比誘電率を２０以上にするとよい。このような構成により、誘電体部材３７の比誘電率による受信信号波長の短縮量が多くなるので、アンテナの小型化を図ることができる。
【００８４】
ここで、プリント基板４０は、本発明の第７実施形態に係るアンテナを備える小型無線通信機器のメイン電子回路を搭載しているプリント基板（メイン基板）であり、第１スイッチ素子４２−１、第２スイッチ素子４２−２、誘電体部材３７等が実装されている。
【００８５】
第１放射エレメント３８ａの一端はプリント基板４０上の導体パターン４３によってプリント基板４０上の給電点に電気的に接続され、第１放射エレメント３８ａの他端はプリント基板４０上の導体パターン４４−１によって第１スイッチ素子４２−１の一端に電気的に接続される。また、第２放射エレメント３８ｂの一端はプリント基板４０上の導体パターン４４−２によって第１スイッチ素子４２−１の他端に電気的に接続され、第２放射エレメント３８ｂの他端とプリント基板４０に実装されるコイル４５の一端とがプリント基板４０上の導体パターン４４−３によって互いに電気的に接続される。また、プリント基板４０に実装されるコイル４５の他端と第２スイッチ素子４２−２の一端とがプリント基板４０上の導体パターン４４−４によって互いに電気的に接続される。また、第３放射エレメント３９の一端はプリント基板４０上の導体パターン４４−５によって第２スイッチ素子４２−２の他端に電気的に接続される。また、プリント基板４０上にはグランドパターン４１も形成されている。
【００８６】
第３放射エレメント３９はループ部３９ａを有している。ループ部３９ａを設けることにより受信周波数の帯域幅が広くなるという効果が得られる。
【００８７】
また、第１放射エレメント３８ａは、他の導体パターン幅（第１放射エレメント３８ａの部位３８ａａ以外での導体パターン幅、第２放射エレメント３８ｂの導体パターン幅）と幅が異なる部位３８ａａを有している。これにより、アンテナのインピーダンスの調整が容易になる。
【００８８】
また、第２放射エレメント３８ｂと第３放射エレメント３９の間にコイル４５が設けられている。コイル４５はアンテナの共振周波数を低周波側へシフトさせる効果を有している。したがって、コイル４５を設けることはアンテナの小型化に有効である。コイル４５は積層型チップコイルであってもよいし、巻線コイルであってもよい。なお、コイルは、図１０のように放射エレメントと放射エレメントの間に設けてもよく、放射エレメントの端部や放射エレメント内の所定位置に設けてもよい。
【００８９】
次に、本発明の第８実施形態に係るアンテナについて図１１を参照して説明する。図１１は、本発明の第８実施形態に係るアンテナが搭載されているアンテナモジュールの全体斜視図である。
【００９０】
本発明の第８実施形態に係るアンテナは、第１放射エレメント２ａ、第２放射エレメント２ｂ、及び第３放射エレメント２ｃと、第１スイッチ素子７−１及び第２スイッチ素子７−２と、プリント基板４６上の導体パターン４７及び４８−１〜４８−５と、実装用ランドと、半田付け部とを備えている。
【００９１】
プリント基板４６は、本発明の第８実施形態に係るアンテナを備える小型無線通信機器のメイン電子回路を搭載しているプリント基板（メイン基板）とは別のプリント基板であり、第１スイッチ素子７−１、第２スイッチ素子７−２、誘電体部材１等が実装されている。
【００９２】
また、導体パターン４７は端面スルーホール４７ａを有しており、導体パターン４８−１、４８−２、４８−３、４８−４はそれぞれ端面スルーホール４８−１ａ、４８−２ａ、４８−３ａ、４８−４ａを有している。端面スルーホール４７ａは給電点に接続されるべきアンテナモジュール端子となる。端面スルーホール４８−１ａ及び４８−２ａは、例えば第１スイッチ素子７−１がＰＩＮダイオードによる場合、片方がＯＮ／ＯＦＦを入力するアンテナコントロール端子となり、もう片方はグランド端子となる。スイッチ回路を構成する素子の一部、例えばＰＩＮダイオードに流れる電流を決める抵抗はプリント基板４６上に有ってもよいし、メイン基板上に有ってもよい。端面スルーホール４８−３ａ及び４８−４ａも同様である。図１１のようにアンテナをモジュール化することによって、アンテナの汎用性が増す。なお、図１１ではアンテナモジュール端子を端面スルーホールとしたが、端面スルーホールの代わりに端子用のコネクタ類を設けてもよい。
【００９３】
直方体形状である誘電体部材１に三つの放射エレメント（第１放射エレメント２ａ、第２放射エレメント２ｂ、及び第３放射エレメント２ｃ）が形成されており、第１放射エレメント２ａ、第２放射エレメント２ｂ、及び第３放射エレメント２ｃはそれぞれ、ミアンダ形状の導体パターンで誘電体部材１の複数の面にわたって形成されている。また、誘電体部材１の誘電率をプリント基板４６の誘電率より大きくしている。例えば、プリント基板４６の比誘電率を４．５程度にし誘電体部材１の比誘電率を２０以上にするとよい。このような構成により、誘電体部材１の比誘電率による受信信号波長の短縮量が多くなるので、アンテナの小型化を図ることができる。
【００９４】
第１放射エレメント２ａの一端はプリント基板４６上の導体パターン４７によって、メイン基板の給電点に接続される端面スルーホール４７ａに電気的に接続され、第１放射エレメント２ａの他端はプリント基板４６上の導体パターン４８−１によって第１スイッチ素子７−１の一端に電気的に接続される。
【００９５】
また、第２放射エレメント２ｂの一端はプリント基板４６上の導体パターン４８−２によって第１スイッチ素子７−１の他端に電気的に接続され、第２放射エレメント２ｂの他端はプリント基板４６上の導体パターン４８−３によって第２スイッチ素子７−２の一端に電気的に接続される。
【００９６】
また、第３放射エレメント２ｃの一端はプリント基板４６上の導体パターン４８−４によって第２スイッチ素子７−２の他端に電気的に接続され、第３放射エレメント２ｃの他端はプリント基板４６上の導体パターン４８−５に電気的に接続される。
【００９７】
次に、本発明の第９実施形態に係るアンテナについて図１２を参照して説明する。図１２は、本発明の第９実施形態に係るアンテナが搭載されているアンテナモジュールの全体斜視図である。
【００９８】
本発明の第９実施形態に係るアンテナは、プリント基板５６上の導体パターン５０及び５４と誘電体部材４９上の導体パターン５１から成る第１放射エレメントと、誘電体部材４９上の導体パターンである第２放射エレメント５２と、プリント基板５６上の導体パターンである第３放射エレメント５３と、第１スイッチ素子７−１及び第２スイッチ素子７−２と、プリント基板５６上の導体パターン５５−１〜５５−３と、実装用ランドと、半田付け部とを備えている。
【００９９】
プリント基板５６は、本発明の第９実施形態に係るアンテナを備える小型無線通信機器のメイン電子回路を搭載しているプリント基板（メイン基板）とは別のプリント基板であり、第１スイッチ素子７−１、第２スイッチ素子７−２、誘電体部材４９等が実装されている。
【０１００】
また、導体パターン５０は端面スルーホール５０ａを有しており、導体パターン５５−１、５５−２、５５−３はそれぞれ端面スルーホール５５−１ａ、５５−２ａ、５５−３ａを有しており、プリント基板５６上の導体パターンである第３放射エレメント５３は端面スルーホール５３ａを有している。端面スルーホール５０ａは給電点に接続されるべきアンテナモジュール端子となる。端面スルーホール５５−１ａ及び５５−２ａは、例えば第１スイッチ素子７−１がＰＩＮダイオードによる場合、片方がＯＮ／ＯＦＦを入力するアンテナコントロール端子となり、もう片方はグランド端子となる。スイッチ回路を構成する素子の一部、例えばＰＩＮダイオードに流れる電流を決める抵抗はプリント基板５６上に有ってもよいし、メイン基板上に有ってもよい。端面スルーホール５５−３ａ及び５５−４ａも同様である。図１２のようにアンテナをモジュール化することによって、アンテナの汎用性が増す。なお、図１２ではアンテナモジュール端子を端面スルーホールとしたが、端面スルーホールの代わりに端子用のコネクタ類を設けてもよい。
【０１０１】
直方体形状である誘電体部材４９に第１エレメントの一部（導体パターン５１）と第２放射エレメント５２とが形成されており、導体パターン５１及び第２放射エレメント５２はそれぞれ、ミアンダ形状の導体パターンで誘電体部材４９の複数の面にわたって形成されている。また、誘電体部材４９の誘電率をプリント基板５６の誘電率より大きくしている。例えば、プリント基板５６の比誘電率を４．５程度にし誘電体部材４９の比誘電率を２０以上にするとよい。このような構成により、誘電体部材４９の比誘電率による受信信号波長の短縮量が多くなるので、アンテナの小型化を図ることができる。
【０１０２】
プリント基板５６上の導体パターン５０及び５４と誘電体部材４９上の導体パターン５１から成る第１放射エレメントの一端は、メイン基板の給電点に接続される端面スルーホール５０ａに電気的に接続され、当該第１放射エレメントの他端はプリント基板５６上の導体パターン５５−１によって第１スイッチ素子７−１の一端に電気的に接続される。
【０１０３】
また、第２放射エレメント５２の一端はプリント基板５６上の導体パターン５５−２によって第１スイッチ素子７−１の他端に電気的に接続され、第２放射エレメント５２の他端はプリント基板５６上の導体パターン５５−３によって第２スイッチ素子７−２の一端に電気的に接続される。
【０１０４】
また、第３放射エレメント５３は第２スイッチ素子７−２の他端に電気的に接続される。
【０１０５】
図１２に示すように、放射エレメントの全体もしくは一部をプリント基板５６上の導体パターンで形成することで、放射エレメントの全体もしくは一部をプリント基板５６上の導体パターンで形成した部分ではアンテナモジュールの高さがほとんどプリント基板５６の厚み分だけとなり、アンテナの高さに部分的に制限がある場合に有効である。特に、図１２のようにアンテナ端部に該当する部分をプリント基板５６上の導体パターンで形成することで、丸みを帯びた筐体（例えば、図８中の筐体２５を参照）に収めるために適したアンテナ形状を実現できる。
【０１０６】
また、プリント基板５６をフレキシブル基板とすることにより、小型無線通信機器の狭い空間内に収めるために効率の良いアンテナ形状が可能となる。
【０１０７】
最後に、本発明の第１０実施形態に係るアンテナについて図１３を参照して説明する。図１３は、本発明の第１０実施形態に係るアンテナの構成要素である放射エレメントが形成されている誘電体部材の斜視図である。
【０１０８】
本発明の第１０実施形態に係るアンテナは、本発明の第１実施形態に係るアンテナで用いていた誘電体部材１を誘電体部材５７に置換したものである。なお、本発明の第１実施形態に係るアンテナと本発明の第１０実施形態に係るアンテナとではプリント基板の導体パターンの位置等が若干異なるが、この点に関する詳細な説明は省略する。誘電体部材５７が第１のスイッチ素子５８−１と第２のスイッチ素子５８−２を搭載しているので、プリント基板側にスイッチ素子を設ける必要が無くなる。
【０１０９】
本発明の第１０実施形態に係るアンテナは、第１放射エレメント２ａ、第２放射エレメント２ｂ、及び第３放射エレメント２ｃと、第１スイッチ素子５８−１及び第２スイッチ素子５８−２と、プリント基板上の導体パターン（不図示）と、実装用ランド３ａ〜３ｆと、半田付け部（不図示）とを備えている。
【０１１０】
直方体形状である誘電体部材５７に三つの放射エレメント（第１放射エレメント２ａ、第２放射エレメント２ｂ、及び第３放射エレメント２ｃ）が形成されており、第１放射エレメント２ａ、第２放射エレメント２ｂ、及び第３放射エレメント２ｃはそれぞれ、ミアンダ形状の導体パターンで誘電体部材５７の複数の面にわたって形成されている。また、誘電体部材５７の誘電率をプリント基板の誘電率より大きくしている。例えば、プリント基板の比誘電率を４．５程度にし誘電体部材５７の比誘電率を２０以上にするとよい。このような構成により、誘電体部材５７の比誘電率による受信信号波長の短縮量が多くなるので、アンテナの小型化を図ることができる。
【０１１１】
第１放射エレメント２ａの一部である実装用ランド２ａａはプリント基板上の導体パターン（不図示）によってプリント基板上の給電点に電気的に接続され、第１放射エレメント２１ａの一部である実装用ランド２ａｂはプリント基板上の導体パターン（不図示）及び実装用ランド３ｂによって第１スイッチ素子５８−１の一端に電気的に接続される。また、第２放射エレメント２ｂの実装用ランド２ｂａはプリント基板上の導体パターン（不図示）及び実装用ランド３ｃによって第１スイッチ素子５８−１の他端に電気的に接続され、第２放射エレメント２ｂの実装用ランド２ｂｂはプリント基板上の導体パターン（不図示）及び実装用ランド３ｄによって第２スイッチ素子５８−２の一端に電気的に接続される。また、第３放射エレメント２ｃの実装用ランド２ｃａはプリント基板上の導体パターン（不図示）及び実装用ランド３ｅによって第２スイッチ素子５８−２の他端に電気的に接続される。
【図面の簡単な説明】
【０１１２】
【図１】は、本発明の第１実施形態に係るアンテナの構成要素である放射エレメントが形成されている誘電体部材の斜視図である。
【図２】は、本発明の第１実施形態に係るアンテナが搭載されているプリント基板の上面図である。
【図３】は、本発明の第１実施形態に係るアンテナが搭載されているプリント基板のアンテナ搭載部を示す部分斜視図である。
【図４】は、本発明の第２実施形態に係るアンテナの構成要素である放射エレメントが形成されている誘電体部材の斜視図である。
【図５】は、本発明の第３実施形態に係るアンテナの構成要素である放射エレメントが形成されている誘電体部材の斜視図である。
【図６】は、本発明の第４実施形態に係るアンテナの構成要素である放射エレメントが形成されている誘電体部材の斜視図である。
【図７】は、本発明の第４実施形態に係るアンテナが搭載されているプリント基板の上面図である。
【図８】は、本発明の第５実施形態に係るアンテナが搭載されているプリント基板の上面図である。
【図９】は、本発明の第６実施形態に係るアンテナが搭載されているプリント基板の上面図である。
【図１０】は、本発明の第７実施形態に係るアンテナが搭載されているプリント基板の上面図である。
【図１１】は、本発明の第８実施形態に係るアンテナが搭載されているアンテナモジュールの全体斜視図である。
【図１２】は、本発明の第９実施形態に係るアンテナが搭載されているアンテナモジュールの全体斜視図である。
【図１３】は、本発明の第１０実施形態に係るアンテナの構成要素である放射エレメントが形成されている誘電体部材の斜視図である。
【図１４】は、本発明の第１実施形態に係るアンテナのＶＳＷＲ特性例を示す図である。
【符号の説明】
【０１１３】
１、１１、１３、１５、１６、２０、２９、３７、４９、５７  誘電体部材
２ａ、１２ａ、１４ａ、１７ａ、２１ａ、３０ａ、３８ａ  第１放射エレメント
２ｂ、１２ｂ、１４ｂ、１７ｂ、２１ｂ、３０ｂ、３８ｂ、５２  第２放射エレメント
２ｃ、１２ｃ、２２、３１、３９、５３  第３放射エレメント
２ａａ、２ａｂ、２ｂａ、２ｂｂ、２ｃａ、２ｃｂ、３ａ〜３ｆ  実装用ランド
４、１８、２３、３２、４０、４６、５６  プリント基板
５、１９、２４、３３、４１  グランドパターン
６  給電点
７−１、２６−１、３４−１、４２−１、５８−１  第１スイッチ素子
７−２、２６−２、３４−２、４２−２、５８−２  第２スイッチ素子
８、９−１〜９−５、２７、２８−１〜２８−４、３５、３６−１〜３６−４、４３、４４−１〜４４−５、４７、４８−１〜４８−５、５０、５３、５４、５５−１〜５５−３  プリント基板上の導体パターン
１０−１〜１０−６  半田付け部
２５  筐体
３０ａａ  スタブ部
３１ａ  テーパー部
３１ｂ  パッチ部
４５  コイル
３８ａａ  他の導体パターン幅と幅が異なる部位
３９ａ  ループ部
４７ａ、４８−１ａ〜４８−４ａ、５０ａ、５５−１ａ〜５５−３ａ、５３ａ  端面スルーホール
５１    第１放射エレメントの一部
【図１】
2006319437.tif 000003
【図２】
2006319437.tif 000004
【図３】
2006319437.tif 000005
【図４】
2006319437.tif 000006
【図５】
2006319437.tif 000007
【図６】
2006319437.tif 000008
【図７】
2006319437.tif 000009
【図８】
2006319437.tif 000010
【図９】
2006319437.tif 000011
【図１０】
2006319437.tif 000012
【図１１】
2006319437.tif 000013
【図１２】
2006319437.tif 000014
【図１３】
2006319437.tif 000015
【図１４】
2006319437.tif 000016